(57)【特許請求の範囲】
【請求項１】
目地部を介して設けられた左右の床躯体の目地部の幅寸法とほぼ同じ幅寸法が境界線までにあるように形成された一方の床躯体と、この一方の床躯体の上面に所定間隔で固定され、複数個の支持筒より前記目地部へ、該目地部の幅寸法分だけ常時突出するように取付けられた作動杆を有する目地プレート支持機構と、この目地プレート支持機構の支持筒の上面に位置するように、該支持筒あるいは前記一方の床躯体に固定された、前記目地部側の下端部が目地部方向に突出する傾斜面に形成された固定目地プレートと、前記一方の床躯体と前記目地部を介して位置する突出部を有し、かつ前記固定目地プレートの上面位置とほぼ同じ上面位置となる他方の床躯体と、この他方の床躯体の目地部側の突出部に後端部が上方への移動が可能に取付けられ、先端部が前記目地プレート支持機構に支持されて前記目地部を覆う目地プレートと、前記目地プレート支持機構の作動杆の突出位置を規制するストッパーと、前記目地プレート支持機構の作動杆の先端部に下方へ突出する支持杆をスライド移動可能に支持する、前記他方の床躯体の突出部の下部に入り込む前記一方の床躯体の目地部側に固定された支持体とからなる床用目地装置において、前記他方の床躯体の突出部の突出寸法は目地部の幅寸法よりも小さく形成され、支持体は一方の床躯体の目地部側に固定された、該目地部の幅寸法よりも短く形成された固定筒と、この固定筒の先端部より常時所定量突出する可動体とで構成されていることを特徴とする床用目地装置。
【発明の詳細な説明】
【技術分野】
【０００１】
本発明は境界線までに十分な寸法がない所でも、地震時の大きな揺れ動きでも境界線を越えることなく、その揺れ動きを吸収することができる床用目地装置に関する。
【背景技術】
【０００２】
従来、地震で目地部が広くなるように左右の床躯体が揺れ動いた場合、目地プレートの下部を目地部内へ突出する作動杆を用いた目地プレート支持機構で支持する床用目地装置は、目地プレート支持機構の作動杆が突出し、突出先端部寄りの部位で目地プレートの先端部が支持されると、作動杆の後端部の支持筒との係合寸法が小さいと、目地プレートを十分に支持することができないという欠点があり、十分に目地プレートを支持できるように支持筒と作動杆との係合寸法を取ると、大きな揺れ動きを吸収することができないという欠点があった。
【先行技術文献】
【特許文献】
【０００３】
【特許文献１】特開２００６−１５２７４９号公報
【発明の概要】
【発明が解決しようとする課題】
【０００４】
本発明は以上のような従来の欠点に鑑み、境界線まで十分な寸法がなくても、地震時の大きな揺れ動きを安全に吸収することができる床用目地装置を提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の目地部の幅寸法とほぼ同じ幅寸法が境界線までにあるように形成された一方の床躯体と、この一方の床躯体の上面に所定間隔で固定され、複数個の支持筒より前記目地部へ、該目地部の幅寸法分だけ常時突出するように取付けられた作動杆を有する目地プレート支持機構と、この目地プレート支持機構の支持筒の上面に位置するように、該支持筒あるいは前記一方の床躯体に固定された、前記目地部側の下端部が目地部方向に突出する傾斜面に形成された固定目地プレートと、前記一方の床躯体と前記目地部を介して位置する突出部を有し、かつ前記固定目地プレートの上面位置とほぼ同じ上面位置となる他方の床躯体と、この他方の床躯体の目地部側の突出部に後端部が上方への移動が可能に取付けられ、先端部が前記目地プレート支持機構に支持されて前記目地部を覆う目地プレートと、前記目地プレート支持機構の作動杆の突出位置を規制するストッパーと、前記目地プレート支持機構の作動杆の先端部に下方へ突出する支持杆をスライド移動可能に支持する、前記他方の床躯体の突出部の下部に入り込む前記一方の床躯体の目地部側に固定された支持体とからなる床用目地装置において、前記他方の床躯体の突出部の突出寸法は目地部の幅寸法よりも小さく形成され、支持体は一方の床躯体の目地部側に固定された、該目地部の幅寸法よりも短く形成された固定筒と、この固定筒の先端部より常時所定量突出する可動体とで床用目地装置を構成している。
【発明の効果】
【０００８】
以上の説明から明らかなように、本発明にあっては次に列挙する効果が得られる。
（１）請求項１によって、地震により目地部が広くなっても、目地プレートの先端部を支持する目地プレート支持機構の作動杆の先端部の支持杆が支持体に支持されているため、該作動杆の両端部が支持された状態となり、安全に目地プレートを支持することができ、目地プレート上に人が乗っても安全に使用することができる。    
（２）前記（１）によって、他方の床躯体の目地部側の端部から境界線までに目地部と、該目地部の幅寸法とほぼ同じ幅寸法の一方の床躯体を設けることにより、目地部のほぼ幅寸法分の地震での伸縮を、境界線を越えることなく、目地プレートを安定状態で支持して、該地震の揺れ動きを吸収することができる。
（３）前記（１）により、他方の床躯体の突出部の寸法を目地部の幅寸法と同じか、大きくなるように設定することにより、固定状態の支持体を用いることができるとともに、突出部の寸法を目地部の幅寸法よりも小さな寸法に設定することにより、十分な強度の他方の躯体にでき、かつ伸縮可能な支持体で地震時の揺れ動きを安定した状態で吸収することができる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の目地プレート支持機構の説明図。
【図５】本発明を実施するための第１の形態の支持体の説明図。
【図６】本発明を実施するための第１の形態の目地部が広くなった動作説明図。
【図７】本発明を実施するための第１の形態の目地部が狭くなった動作説明図。
【図８】本発明を実施するための第２の形態の平面図。
【図９】図８の９−９線に沿う断面図。
【図１０】本発明を実施するための第２の形態の目地部が狭くなった動作説明図。
【図１１】本発明を実施するための第３の形態の平面図。
【図１２】図１１の１２−１２線に沿う断面図。
【図１３】図１１の１３−１３線に沿う断面図。
【発明を実施するための形態】
【００１０】
以下、図面に示す本発明を実施するための形態により、本発明を詳細に説明する。
【００１１】
図１ないし図７に示す本発明を実施するための第１の形態において、１は境界線２まで十分な寸法がない所に設置される本発明の床用目地装置で、この床用目地装置１は目地部３を介して設けられた左右の床躯体の目地部３の幅寸法４とほぼ同じ幅寸法が境界線２までにあるように形成された一方の床躯体５と、この一方の床躯体５の上面に所定間隔で固定された複数個の支持筒６より、前記目地部３へ、該目地部の幅寸法４分だけ常時突出するように取付けられた作動杆７を有する目地プレート支持機構８と、この目地プレート支持機構８の支持筒６の上部に位置するように、該支持筒６あるいは前記一方の床躯体５に固定された前記目地部側の下端部が目地部方向に突出する傾斜面９に形成された固定目地プレート１０と、前記一方の床躯体５と前記目地部３を介して位置する、前記目地部３の幅寸法４分だけ突出する突出部１１を有し、かつ前記固定目地プレート１０の上面位置とほぼ同じ上面位置となる他方の床躯体１２と、この他方の床躯体１２の目地部側の突出部１１に後端部が上方へ移動可能に取付けられ、先端部が前記目地プレート支持機構８に支持され、かつ前記固定目地プレート１０の傾斜面９によって上方へ移動できる傾斜面１３に形成された目地プレート１４と、前記目地プレート支持機構８の作動杆７の突出位置を規制する一端部が、該作動杆７の先端部に取付けられ、他端部が前記一方の躯体５の目地部側に取付けられたチェーン、ロープ、ワイヤーを用いたストッパー１５と、前記目地プレート支持機構８の作動杆７の先端部に下方へ突出する支持杆１６をスライド移動可能に支持する先端部が前記他方の床躯体１２の突出部１１の下部に入り込める位置の、前記一方の床躯体５の目地部側に後端部が固定された支持体１７とで構成されている。
【００１２】
前記目地プレート支持機構８は前記一方の床躯体５の上面に所定間隔で固定された、ほぼ該一方の床躯体５の幅寸法で、かつ前記目地部３へ先端部がわずかに突出する複数個の四角柱等の支持筒６と、この支持筒６内をそれぞれスライド移動し、先端部より目地部３へ突出する四角形状の作動杆７と、これらの作動杆７を常時目地部３へ突出するように付勢する、前記複数個の支持筒６内にそれぞれ収納された付勢スプリング１８とで構成されている。
【００１３】
前記固定目地プレート１０は前記一方の床躯体５の上部に固定された目地プレート支持機構８の支持筒６の上部に位置し、かつ先端部が前記支持筒６の先端部より突出しないように、該支持筒６あるいは前記一方の床躯体５に固定されている。
【００１４】
前記目地プレート１４は前記他方の床躯体１２の目地部側の突出部１１に複数本のタッピングビス１９で固定された筒状の支持部材２０に後端部が支持され、傾斜面１３に形成された先端部が前記固定目地プレート１０の傾斜面９に当接、あるいはわずかな隙間を介して前記支持筒６の先端部に支持される目地プレート本体２１と、この目地プレート本体２１の後端部の底面で、前記支持部材２０と対応する部位に取付けられた、該目地プレート本体２１の先端部が上方へ回動しても、該支持部材２０に支持された状態でスライド移動する係合ピン２２とで構成されている。
【００１５】
前記支持杆１６は前記作動杆７の先端部に下方へ突出する支持アーム２３と、この支持アーム２３の先端部に取付けられた、前記支持体１７上をスライド移動するローラー２４とで構成されている。
【００１６】
前記支持体１７は前記目地部３の幅寸法４分だけ突出する突出部１１が他方の床躯体１２に形成されているため、Ｔ字状で、先端部が順次小寸法となるものが使用されている。
【００１７】
上記構成の床用目地装置１は、通常時は図２に示すように、固定目地プレート１０、この固定目地プレート１０の上面と同じ上面となる目地プレート１４によって、目地部３が覆われた状態となっている。
【００１８】
この時、目地プレート１４は後端部が他方の床躯体１２の目地部側の突出部１１に固定された支持部材２０に支持され、先端部は目地プレート支持機構８の複数個の支持筒６に支持された状態となっている。
【００１９】
このため、目地プレート１４上を安全に走行することができる。
【００２０】
地震によって目地部３が図６に示すように広くなると、一方の床躯体５より他方の床躯体１２が離れた状態となり、他方の床躯体１２と一体になって移動する目地プレート１４の先端部が目地プレート支持機構８の複数個の支持筒６、作動杆７上をスライド移動して、その揺れ動きを吸収する。
【００２１】
この時、目地プレート１４の荷重は目地プレート支持機構８の複数個の作動杆７に加わるが、該複数個の作動杆７の後端部は複数個の支持筒６に支持され、先端部は支持体１７にスライド移動可能に支持されている支持杆１６で支持された両端部支持状態となっているため、目地プレート１４の先端部が沈むことなく、安全に支持された状態となっている。
【００２２】
地震によって目地部３が図７に示すように狭くなると、一方の床躯体５に他方の床躯体１２が近づく状態となり、固定目地プレート１０の傾斜面９によって、目地プレート１４の先端部の傾斜面１３が当接して押し上げられ、目地プレート１４が固定目地プレート１０上に乗り上がった状態となり、乗り上がりが大きくなると、目地プレート１４の自重によって後端部が上方へ移動して、水平状態となる。
【００２３】
なお、一方の床躯体５の幅寸法と目地部３の幅寸法４がほぼ同じ寸法となっているため、最大に移動したとしても目地プレート１４の先端部は境界線２を越えることがない。
【００２４】
また、支持体１７の先端部が他方の床躯体１２の突出部１１の下部に入り込むため、損傷することがない。
【００２５】
地震での揺れ動きが停止すると、自動的に元の状態へ戻る。
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図８ないし図１０に示す本発明を実施するための第２の形態において、前記本発明を実施するための第１の形態と主に異なる点は、目地部３の幅寸法４よりも小さな寸法の突出部１１Ａを有する他方の床躯体１２Ａを用いるとともに、一方の床躯体５の目地部側に後端部が固定された、目地部３の幅寸法４よりも小さい長さの四角筒状の支持体本体２５と、この支持体本体２５内をスライド移動し、先端部より目地部３へ突出する可動体２６と、この可動体２６を常時突出方向に付勢する、前記支持体本体２５内に備えられた付勢スプリング２７と、一端が前記可動体２６の先端部に取付けられ、他端部が一方の床躯体５の目地部側に取付けられたチェーン、紐、ワイヤー等のストッパー２８とからなる支持体１７Ａを用いた点で、このように構成した床用目地装置１Ａにしても、前記本発明を実施するための第１の形態と同様な作用効果が得られる。
【００２７】
図１１ないし図１３に示す本発明を実施するための第３の形態において、前記本発明を実施するための第１の形態と主に異なる点は、複数個の作動杆７の先端部を固定バー２９で固定した目地プレート支持機構８Ａを用いるとともに、複数個の作動杆７の中間部の固定バー２９にローラー２４が取付けられた支持アーム２３と、この支持アーム２３のローラー２４が移動できるように一方の躯体５に固定された支持体１７を配置した点で、このように構成した床用目地装置１Ｂにしても、前記本発明を実施するための第１の形態と同様な作用効果が得られるとともに、支持アーム２３やストッパー２５の数を減らしてコストの低減を図ることができる。
【００２８】
なお、前記本発明を実施するための各形態では、四角筒状の支持筒６を用いたが、本発明はこれに限らず、作動杆７が回動不能状態でスライド移動できる構造にすれば、どんな形状であってもよい。
【産業上の利用可能性】
【００２９】
本発明は左右の床躯体間に目地部を形成し、該目地部を覆う床用目地装置を製造する産業で利用される。
【符号の説明】
【００３０】
１、  、１Ａ、１Ｂ：床用目地装置、２：境界線、
３：目地部、        ４：幅寸法、
５：一方の床躯体、      ６：支持筒、
７：作動杆、
８、８Ａ：目地プレート支持機構、
９：傾斜面、        １０：固定目地プレート、
１１、１１Ａ：突出部、    １２、１２Ａ：他方の床躯体、
１３：傾斜面、      １４：目地プレート、
１５：ストッパー、      １６：支持杆、
１７、１７Ａ：支持体、    １８：付勢スプリング、
１９：タッピングビス、    ２０：支持部材、
２１：目地プレート本体、    ２２：係合ピン、
２３：支持アーム、      ２４：ローラー、
２５：支持体本体、      ２６：可動体、
２７：付勢スプリング、    ２８：ストッパー。
２９：固定バー。
【図１】
0005670942.tif 000002
【図２】
0005670942.tif 000003
【図３】
0005670942.tif 000004
【図４】
0005670942.tif 000005
【図５】
0005670942.tif 000006
【図６】
0005670942.tif 000007
【図７】
0005670942.tif 000008
【図８】
0005670942.tif 000009
【図９】
0005670942.tif 000010
【図１０】
0005670942.tif 000011
【図１１】
0005670942.tif 000012
【図１２】
0005670942.tif 000013
【図１３】
0005670942.tif 000014